(57)【要約】【課題】祈願していることを低廉な費用で有形的に表現することのできる経典入り護符を提供する。【解決手段】正面視で長方形の護符本体３と、護符本体３の左右に配置された羽織部４とを備えた護符において、互いにほぼ同形同大の複数の長方形領域が長辺または短辺を共有するように連ねられ、更にその短辺方向の両端に一対の折りしろ６３が連ねられた一枚の紙６を前記長辺及び短辺に沿って折ることにより前記護符本体を形成し、前記折りしろを折ることにより前記羽織部を形成するとともに、前記複数の長方形領域が互いに対向することによって形成された袋状ないし筒状空間に書写された経典２が収容されていることを特徴とする。【選択図】図１
0003172671.tif 000002
【実用新案登録請求の範囲】
【請求項１】
正面視で長方形の護符本体と、護符本体の左右に配置された羽織部とを備えた護符において、
互いにほぼ同形同大の複数の長方形領域が長辺または短辺を共有するように連ねられ、更にその短辺方向の両端に一対の折りしろが連ねられた一枚の紙を前記長辺及び短辺に沿って折ることにより前記護符本体を形成し、
前記折りしろを折ることにより前記羽織部を形成するとともに、
前記複数の長方形領域が互いに対向することによって形成された袋状ないし筒状空間に書写された経典が収容されていることを特徴とする経典入り護符。
【請求項２】
前記一枚の紙が、一つの短辺を共有する第一、第二の二つの前記長方形領域と、第一の長方形領域の長辺に沿って連ねられた前記一対の折りしろとからなり、第二の長方形領域が第一の長方形領域の上に重なり、その上に前記折りしろが重なるように折られている、請求項１に記載の経典入り護符。
【請求項３】
前記複数の長方形領域のうち護符本体の正面となる一つの領域に孔を開け、前記経典に記載された文字の一部をその孔から露出させるようにした、請求項１に記載の経典入り護符。
【考案の詳細な説明】
【技術分野】
【０００１】
この考案は、経典入り護符に関する。
【背景技術】
【０００２】
護符は、神仏の名号や形像、呪文（じゅもん）、功徳の祈願内容などを記載した紙片であって、家の中の神棚に掲げられたり、仏壇の内部に置かれたり、家の入口に貼られたりするもので、御符、神符、御札などと呼ばれることもある。従来の多くの護符は、前記紙片の裏面にそれよりも幅広の別紙を重ね、前記紙片の両側からはみ出した部分が紙片の表面に来るように前記別紙を折ることにより羽織仕立てとされ、必要により帯もしくは水引で結束されている（非特許文献１）。
【０００３】
一方、写経と称して、主に仏教において経典を書写する行為が古来から存在する。元々は印刷技術が生まれる前の時代に布教の目的でなされており、近年は修行、勉学、趣味の他、「病気治癒の為」、「志望校合格」、「家内安全」などの祈願や回向を目的として僧侶だけでなく信者から一般人に至るまで普及している。そして、書写された経典は、寺院に納められ（一般に「納経」と称される。）、寺院において半永久的にお祀りされるか、又は一定期間、例えば１年後にお焚き上げされる。納経以外に写経の信仰を表現する方法は、現在まで知られていない。
【先行技術文献】
【非特許文献】
【０００４】
【非特許文献１】日本美術工芸社ホームページ＞授与品＞御札類，[online]，２０１１年１０月１２日，，インターネット<URL: http://nihonbijyutu.ftw.jp/u39437.html>
【考案の概要】
【考案が解決しようとする課題】
【０００５】
しかし、書写された経典を寺院において半永久的にお祀りしてもらうには、相当の費用がかかる。また、一定期間後にお焚き上げされる場合、経典の形が消滅することから、祈願や回向の継続性に疑問を生じることがあるし、少なくとも祈願していることを目に見える形として表現することはできなくなる。
それ故、この考案の課題は、祈願していることを低廉な費用で有形的に表現することのできる経典入り護符を提供することにある。
【課題を解決するための手段】
【０００６】
その課題を解決するために、この考案の経典入り護符は、
正面視で長方形の護符本体と、護符本体の左右に配置された羽織部とを備えた護符において、
互いにほぼ同形同大の複数の長方形領域が長辺または短辺を共有するように連ねられ、更にその短辺方向の両端に一対の折りしろが連ねられた一枚の紙を前記長辺及び短辺に沿って折ることにより前記護符本体を形成し、
前記折りしろを折ることにより前記羽織部を形成するとともに、
前記複数の長方形領域が互いに対向することによって形成された袋状ないし筒状空間に書写された経典が収容されていることを特徴とする。
【０００７】
この考案によれば、一般家庭の家屋や神棚・仏壇に置かれたり貼られたりする護符に書写された経典が入れられているので、経典を通じて祈願していることを有形的に表現することができる。しかも、護符は経典を収容するための袋状ないし筒状空間を一枚の紙で形成しているので、制作工程が簡単である。
【考案の効果】
【０００８】
以上のように、この考案によれば、書写された経典を護符に収容することにより、祈願していることを低廉な費用で有形的に所望の期間表現することができる。
【図面の簡単な説明】
【０００９】
【図１】実施形態の経典入り護符を示し、（ａ）はその正面図、（ｂ）は背面図である。
【図２】実施形態の護符の展開図である。
【図３】前記護符を組み立て工程の初期を示す図である。
【図４】前記護符を組み立て工程の中間を示す図である。
【図５】前記護符を組み立て工程の後期を示す図である。
【図６】もう一つの実施形態の経典入り護符の展開図である。
【考案を実施するための形態】
【００１０】
−実施形態１−
第一の実施形態の経典入り護符を図１〜図５とともに説明する。経典入り護符１は、書写された経典２と、護符本体３と、羽織部４と、帯５とからなる。護符本体３の正面には、「護符」などの題目、御利益文、社寺の名前などが印刷されており、中央に社寺印が印刷されている。護符本体３と羽織部４とは物理的には一体となって袋状空間を形成し、その中に経典２が収容されている。
【００１１】
経典入り護符１は、以下の手順で組み立てられる。先ず、護符本体３及び羽織部４の前駆体である一枚の紙６を準備する。紙６は、図２に展開図として示すように、第一の長方形領域６１と、長方形領域６１と一つの短辺を共有する第二の長方形領域６２と、長方形領域６１の両側長辺に沿って各々連ねられた一対の折りしろ６３、６３とからなり、左右対称形状をなしている。図中の細い二点鎖線は、以下の組み立て工程において谷折りされる部分であることを意味する。
【００１２】
長方形領域６１の大きさは概ね２２０×１０５ｍｍ、折りしろ６３の大きさは概ね２２０×２５ｍｍで、長方形領域６２の長辺は、長方形領域６１の長辺よりも折りしろ６３の幅程度だけ長く、その余剰部に近い右寄りの位置に孔６４が開けられている。また、長方形領域６２の背面には予め必要な文字、模様、印などが印刷されている。
【００１３】
次に、二つの長方形領域６１、６２によって共有されている前記短辺に沿って谷折りすることにより、図３に示すように長方形領域６１の上に長方形領域６２を重ねる。続いて、図４に示すようにその上に折りしろ６３、６３を重ねるように折る。その後、帯５を巻いて結束する。帯５に代えて水引でもよい。その結果、長方形領域６１、６２が互いに対向し、幅方向両端が折りしろ６３、６３で閉じられ、上端のみ開口した袋状空間が形成される。
【００１４】
そして、この袋状空間には図５に示すように、書写されて折りたたまれた経典２が収容される。経典２を収容すると、経典２の標題の初めの数文字が孔６４より露出し、経典２が収容されていることが一目瞭然である。長方形領域６１、６２が護符本体３として、折りしろ６３、６３が羽織部４として機能する。しかも護符本体３及び羽織部４は、一枚の紙でありながら、正面視ではあたかも別紙であるかの如く見える。
【００１５】
−実施形態２−
第二の実施形態の経典入り護符は、護符本体及び羽織部のみ図６の展開図とともに説明する。この実施形態では護符本体及び羽織部の前駆体である一枚の紙７として、第一の長方形領域７１と、長方形領域７１と一つの長辺を共有する第二の長方形領域７２と、もう一つの長辺を共有する第三の長方形領域７３と、これら３つの長方形領域の共有されていない長辺に沿って各々連ねられた一対の折りしろ７４、７４とからなる。長方形領域７１は、両側の長方形領域７２、７３よりも上下方向に折りしろ７４の幅程度延びている。そして、長方形領域７２には、上側の短辺の中点位置から長方形領域７２の中心に至るまで切り込み７５が設けられており、長方形領域７３には、逆に下側の短辺の中点位置から長方形領域７３の中心に至るまで切り込み７６が設けられている。
【００１６】
この実施形態の護符は、図中の細い二点鎖線に沿って谷折りするとともに、切り込み７５、７６同士をかみ合わせることにより、上端のみ開口した袋状空間が形成される。切り込み７５、７６同士がかみ合っているので、帯や水引がなくても袋状の形態が崩れにくい。
【符号の説明】
【００１７】
１  経典入り護符
２  経典
３  護符本体
４  羽織部
５  帯
６、７  紙
６３、７４  折りしろ
６１、６２、７１、７２、７３  長方形領域
６４  孔
【図１】
0003172671.tif 000003
【図２】
0003172671.tif 000004
【図３】
0003172671.tif 000005
【図４】
0003172671.tif 000006
【図５】
0003172671.tif 000007
【図６】
0003172671.tif 000008